(57)【要約】【課題】着用した場合、鼻パッドへの負担を軽減でき、皮膚を挟むことや髪毛が絡んで抜けにくくなるようなことがなく、着用安定性が良くフィット感や掛け心地にも優れた眼鏡を提供すること。【解決手段】本発明の髪毛根元捕捉具Ａは、眼鏡ＢのテンプルＴ又はモダンＭの端部に取り付け自在であり竹槍状であって、胴部１とくさび部２とよりなり、胴部１とくさび部２とには貫通孔Ｈが形成されており、くさび部２は胴部１より一方側が拡大して、他方側が切断状の傾斜面２１を有し、くさび部２の先端には長手方向に切り込み２２が設けられている。【選択図】図１６
2018205589.tif 000002
【特許請求の範囲】
【請求項１】
眼鏡のテンプル又はモダンの端部に取り付け自在であり竹槍状の髪毛根元捕捉具であって、胴部とくさび部とよりなり、胴部とくさび部とには貫通孔が形成されており、くさび部は胴部より一方側が拡大して、他方側が切断状の傾斜面を有し、くさび部の先端には長手方向に切り込みが設けられていることを特徴とする眼鏡用の髪毛根元捕捉具。
【請求項２】
前記切り込みがＶ字状であることを特徴とする請求項１記載の眼鏡用の髪毛根元捕捉具。
【請求項３】
前記切り込みの先端に髪留まり部が形成されていることを特徴とする請求項１記載の眼鏡用の髪毛根元捕捉具。
【請求項４】
前記貫通孔の断面が円形でありテンプル又はモダンの端部の断面が矩形であることを特徴とする請求項１記載の眼鏡用の髪毛根元捕捉具。
【請求項５】
前記くさび２の先端に返し部が形成されていることを特徴とする請求項１記載の眼鏡用の髪毛根元捕捉具。
【請求項６】
エラストマーよりなることを特徴とする請求項1記載の眼鏡用の髪毛根元捕捉具。
【請求項７】
前記請求項１記載の眼鏡用の髪毛根元捕捉具を、上記他方側の切断状の傾斜面を側頭部の外側になるように備えたことを特徴とする眼鏡。
【請求項８】
前記眼鏡がパッドレス眼鏡であることを特徴とする請求項７記載の眼鏡。
【請求項９】
前記テンプル又はモダンの後端部が二股に分岐しているものであることを特徴とする請求項７又は８記載の眼鏡。
【発明の詳細な説明】
【技術分野】
【０００１】
本発明は、眼鏡に関し、更に詳しくは、構造がシンプルであり、使用者の頭部に確実に固定され鼻部の圧力負担も軽減される優れた眼鏡に関する。
【背景技術】
【０００２】
眼鏡は一般に、左右一対のレンズを有するフロント部と、フロント部の両側から後方に延びるテンプル部と、テンプル部に取り付けられるモダン部とから構成される。
かかる眼鏡は、使用者の頭部を両側からモダン部で挟み込むと共に、モダン部を耳に掛けることにより顔に安定的に保持される。
【０００３】
このようなメガネの使用中においては、その前半部の重さを鼻パッド（いわゆる鼻当て部）で支えており、後半部の重さを耳部で支えている。
鼻パッドの当接する部分は顔前面の皮膚の部分であり、メガネを長く着用していると、受跡が付き易い。例えば、これは女性が嫌うことで極力避けなければならない。
【０００４】
また、人によっては鼻パッドの圧により頭痛を感じることさえある。
このようなことから、パッド部の圧力負担を極力軽減できるような工夫がなされたメガネが開発されている。
例えば、テンプルの先にゴム管を取り付けそのゴム管にスプリングを被せたメガネがある（例えば、特許文献１参照）。
これは、着用した状態でスプリングに髪の毛が挟まってメガネが固定されるものであり便利である。
しかし、問題点としてスプリングに皮膚が噛みこんでしまって痛みを感じることもあり、必ずしも使い勝手が良いとは限らない。
【０００５】
また、モダンに拡大状の櫛歯を有する櫛状体を設けたものがあり、これはこの櫛歯で髪の毛を保持するものである（例えば、特許文献２参照）。この場合、保持力はあっても、櫛歯に髪の毛が絡んでしまって、取り外す際に困難になる恐れがあることと、櫛状体がモダンから拡大状に形成されているためテンプルを開閉する操作がしづらい欠点がある。
更にはモダンから拡張した櫛状体によりメガネ全体から見て外観的に違和感を生じることがある。
【先行技術文献】
【特許文献】
【０００６】
【特許文献１】特開２００２−３１１３９３号公報
【特許文献２】特開２０１１−９９９３９号公報
【発明の概要】
【発明が解決しようとする課題】
【０００７】
本発明は上記事情に鑑みてなされたものであり、着用した場合、鼻パッドへの負担を軽減でき、髪毛根元捕捉具が皮膚を挟むことや髪毛に絡んで抜けにくくなるようなことがなく、着用安定性が良くフィット感や掛け心地にも優れた眼鏡を提供することを目的とする。
【課題を解決するための手段】
【０００８】
本発明者は、上記課題を解決するため鋭意検討したところ、一つの切込みを入れた髪毛根元捕捉具をテンプルに直接、或いはモダンを介して装着自在にすることにより、上記問題点を解決できることを見出し、この知見により本発明を完成させるに至った。
【０００９】
すなわち、本発明は、（１）、眼鏡ＢのテンプルＴ又はモダンＭの端部に取り付け自在であり竹槍状の髪毛根元捕捉具Ａであって、胴部１とくさび部２とよりなり、胴部１とくさび部２とには貫通孔Ｈが形成されており、くさび部２は胴部１より一方側が拡大して、他方側が切断状の傾斜面２１を有し、くさび部２の先端には長手方向に切り込み２２が設けられている眼鏡Ｂ用の髪毛根元捕捉具Ａに存する。
【００１０】
すなわち、本発明は、（２）、前記切り込み２２がＶ字状である上記（１）記載の眼鏡Ｂ用の髪毛根元捕捉具Ａに存する。
【００１１】
すなわち、本発明は、（３）、前記切り込み２２の先端に髪留まり部２３が形成されている上記（１）記載の眼鏡Ｂ用の髪毛根元捕捉具Ａに存する。
【００１２】
すなわち、本発明は、（４）、前記貫通孔Ｈの断面が円形でありテンプルＴ又はモダンＭの端部の断面が矩形である上記（１）記載の眼鏡Ｂ用の髪毛根元捕捉具Ａに存する。
【００１３】
すなわち、本発明は、（５）、前記くさび部２の先端に返し部２Ａが形成されている上記（１）記載の眼鏡Ｂ用の髪毛根元捕捉具Ａに存する。
【００１４】
すなわち、本発明は、（６）、エラストマーよりなる上記（1）記載の眼鏡Ｂ用の髪毛根元捕捉具Ａに存する。
【００１５】
すなわち、本発明は、（７）、前記（１）記載の眼鏡Ｂ用の髪毛根元捕捉具Ａを、上記他方側の切断状の傾斜面２１を側頭部の外側になるように備えた眼鏡Ｂに存する。
【００１６】
すなわち、本発明は、（８）、前記眼鏡Ｂがパッドレス眼鏡Ｂである上記（７）記載の眼鏡Ｂ。
【００１７】
すなわち、本発明は、（９）、前記テンプルＴ又はモダンＭの後端部が二股に分岐しているものである上記（７）又は（８）記載の眼鏡Ｂに存する。
【発明の効果】
【００１８】
本発明は、眼鏡ＢのテンプルＴ又はモダンＭの端部に取り付け自在であり竹槍状の髪毛根元捕捉具Ａであって、胴部１とくさび部２とよりなり、胴部１とくさび部２とには貫通孔Ｈが形成されており、くさび部２は胴部１より一方側が拡大して、他方側が切断状の傾斜面２１を有し、くさび部２の先端には長手方向に切り込み２２が設けられているので、着用時の移動の際、傾斜面に髪毛が当たって、分力が発生し、くさび部２は皮膚側に押し付けられる。
そのため、くさび部２は髪毛の根本の部分を掬うように作用する。
髪毛根元捕捉具ＡをテンプルＴの端部に取り付けた眼鏡Ｂは、髪毛根元捕捉具Ａの機能が発揮されることにより、髪毛を確実に捕捉できて、着用した場合にその安定性が向上する。
【００１９】
また、前記切り込み２２がＶ字状であることにより、髪毛が切り込み２２に入り易く捕捉力が増す。
【００２０】
また、切り込み２２の先端に髪留まり部２３が形成されていることにより、切り込み２２を介してこの髪留まり部２３に髪が食い込むことから、より捕捉力が向上する。
【００２１】
また、貫通孔Ｈの断面が円形でありテンプルＴ又はモダンＭの端部の断面が矩形であることにより、髪毛根元捕捉具Ａが抜けにくく、且つ回動しない。
【００２２】
また、くさび部２の先端に返し部２Ａが形成されていることにより、着用する際、髪毛根元捕捉具Ａが皮膚側にめくられるのを回避する。
【００２３】
また、髪毛根元捕捉具Ａがエラストマーよりなることにより、テンプルＴ又はモダンＭから抜けにくく、且つ回動もし難く、更に皮膚への感触が良い。
【００２４】
また、髪毛根元捕捉具Ａを備えた眼鏡Ｂであるので、髪毛根元捕捉具Ａの機能が発揮され、髪毛を確実に捕捉できて、着用した場合にその安定性が向上する。
【００２５】
また、眼鏡Ｂがパッドレス眼鏡Ｂであることにより、鼻への負担が大きく軽減される。
【００２６】
また、テンプルＴ又はモダンＭの後端部が二股に分岐しているものであることにより、２つの髪毛根元捕捉具Ａの機能が同時に発揮されることにより、髪毛をより確実に捕捉できる。
【図面の簡単な説明】
【００２７】
【図１】図１は、髪毛根元捕捉具とテンプルの端部との関係を示す眼鏡の側面図であり、図１（Ａ）は、髪毛根元捕捉具がテンプルに取り付けられる前の状態を示し、図１（Ｂ）は髪毛根元捕捉具がテンプルに取り付けられた後の状態を示す。
【図２】図２は、髪毛根元捕捉具がテンプルに取り付けられた眼鏡の例を示す平面図である。
【図３】図３は、髪毛根元捕捉具を示す図であり、図３（Ａ）は側面図、図３（Ｂ）は平面図、及び図３（Ｃ）は正面図である。
【図４】図４は、断面矩形のテンプルと断面円形の貫通孔の径との関係を説明する図である。
【図５】図５は、実施の形態１における髪毛根元捕捉具とテンプルの端部との関係を示す図であり、図５（Ａ）は、髪毛根元捕捉具がテンプルに取り付けられる前の状態を示し、図５Ｂ（Ｂ）は髪毛根元捕捉具がテンプルに取り付けられた後の状態を示す。
【図６】図６は、実施の形態１における変形例１を示す図である。
【図７】図７は、実施の形態１における変形例２を示す図である。
【図８】図８は、実施の形態１における変形例３を示す図であり、図８（Ａ）は側面図、図８（Ｂ）は平面図である。
【図９】図９は、実施の形態１における変形例４を示す図であり、図９（Ａ）は側面図、図９（Ｂ）は平面図である。
【図１０】図１０は、実施の形態１における変形例５を示す図である
【図１１】図１１は、実施の形態１における変形例６を示す図である。
【図１２】図１２は、実施の形態１における変形例７を示す図であり、図１２（Ａ）は側面図、図１２（Ｂ）は平面図である。
【図１３】図１３は、もみあげ部への当接突起部が設けられたモダンの端部に髪毛根元捕捉具が取り付けられた眼鏡を示す側面図である。
【図１４】図１４は、もみあげ部への当接突起部が設けられたモダンの端部に髪毛根元捕捉具が取り付けられた眼鏡を示す平面図である。
【図１５】図１５は、もみあげ部への当接突起部が設けられた二股モダンの各端部に２つの髪毛根元捕捉具が取り付けられた眼鏡を示す側面図である。
【図１６】図１６は、もみあげ部への当接突起部が設けられた二股モダンの各端部に２つの髪毛根元捕捉具が取り付けられた眼鏡を示す平面図である。
【発明を実施するための形態】
【００２８】
本発明は、髪毛根元捕捉具Ａ及び、それを備えた眼鏡Ｂである。
そして髪毛根元捕捉具Ａを取り付けるのは、眼鏡ＢのテンプルＴの端部でもよく、眼鏡ＢのテンプルＴに既に取り付けてあるモダンＭの端部でもよい。
【００２９】
（実施の形態１）
テンプルＴの端部に髪毛根元捕捉具Ａが取り付けられたものである。
この実施の形態は、眼鏡ＢのテンプルＴの端部に取り付け自在となっている竹槍状の髪毛根元捕捉具Ａであり、またこの竹槍状の髪毛根元捕捉具Ａを備えた眼鏡Ｂである。
髪毛根元捕捉具ＡをテンプルＴの端部に取り付けた眼鏡Ｂは、髪毛根元捕捉具Ａの機能が発揮されることにより、髪毛を確実に捕捉できて、着用した場合にその安定性が発揮される。
髪毛根元捕捉具ＡをテンプルＴの端部に取り付けるには髪毛根元捕捉具Ａに設けられた貫通孔ＨにテンプルＴの端部を押し入れればよい。
まず、テンプルＴの端部に取り付けた髪毛根元捕捉具Ａについて述べる。
【００３０】
図１は、髪毛根元捕捉具ＡとテンプルＴの端部との関係を示す眼鏡Ｂの側面図である。
図１（Ａ）は、髪毛根元捕捉具ＡがテンプルＴに取り付けられる前の状態を示し、図１（Ｂ）は髪毛根元捕捉具ＡがテンプルＴに取り付けられた後の状態を示す。
尚、図１（Ａ）には便宜的にテンプルＴの端部の断面を示した。
【００３１】
図２は、髪毛根元捕捉具ＡがテンプルＴに取り付けられた眼鏡Ｂの例を示す平面図である。
この眼鏡Ｂは、鼻当て部Ｐを備えているものでいわゆるパッド有り眼鏡Ｂといわれる。
【００３２】
また、ここでテンプルＴの端部の断面は矩形のものが好ましく採用されるが、この点については後述する。
（髪毛根元捕捉）
ここで髪毛根元捕捉具Ａの構造についていうと、髪毛根元捕捉具Ａは長尺状で胴部１とくさび部２とよりなる。
【００３３】
図３は、髪毛根元捕捉具Ａを示す図であり、図３（Ａ）は側面図、図３（Ｂ）は平面図、及び図３（Ｃ）は正面図である。
ここで髪毛根元捕捉具Ａはテンプル等に取り付ける前の状態を示すものである（以下同じ）。
図から分かるように、髪毛根元捕捉具Ａには長さ方向に貫通孔Ｈが形成されている。
すなわち胴部１とくさび部２とには連通して貫通孔Ｈが形成されている。
この貫通孔Ｈは円形のものが好ましく採用される。
【００３４】
また、くさび部２は胴部１より一方側が立ち上がり状に拡大しており、他方側が切断状の傾斜面２１を有する形状となっている。
そのため、この切断状の傾斜面２１を有する部分がくさび部２に竹槍の形状を与えている。
そして、このくさび部２の先端部には、本発明の重要な部分である切り込み２２が長手方向に設けられている。
【００３５】
図では、この切り込み２２は、貫通孔Ｈにまで及んでいないが、及ぶように形成されてもよい。
先述したように、髪毛根元捕捉具Ａに設けられた貫通孔ＨにテンプルＴの端部を押し入れれば、両者は相互に結合される。
このとき、くさび部２の立ち上がり状に拡大した側を側頭部側に配置し、切断状の傾斜面２１を側頭部の外側に配置する。
【００３６】
ところで、図４は、断面矩形のテンプルＴと断面円形の貫通孔Ｈの径との関係を説明する図である。
（Ａ）は貫通孔ＨにテンプルＴを入れ込む前の状態、（Ｂ）は貫通孔ＨにテンプルＴを入れ込んだ後の状態を示す図である。
テンプルＴの端部の断面、すなわちテンプルＴの端部が髪毛根元捕捉具Ａの貫通孔Ｈに圧入される部分の断面は矩形（すなわち矩形断面）となっている。
ここで、テンプルＴの矩形断面において、その対角線の長さは、貫通孔Ｈの径より僅かに大きく設定する。
【００３７】
従って、テンプルＴの端部を髪毛根元捕捉具Ａの貫通孔Ｈに押し込む場合に、各対角線の両端（すなわち４つの角部）が貫通孔Ｈの内壁を外側方向に押し上げることとなる。
矩形の各角部が貫通孔Ｈの内壁を外方向に押圧するので４点に力が集中する。
この４点集中効果により、両者の結合力が大きくなるのである。
【００３８】
このように４つのポイントで貫通孔Ｈの内壁を圧するためテンプルＴに対して髪毛根元捕捉具Ａが抜けにくいだけでなく、且つ回転しにくい。
特に、髪毛根元捕捉具Ａを後述するエラストマーにすると、この効果は一層、大きくなる。
因みに、この髪毛根元捕捉具Ａの材料は、顔肌に接する部分であることから、例えば、エラストマー等の可撓性のある材料が好ましく採用される。
エラストマーには、例えば、熱硬化性のシリコーンや、熱可塑性のスチレン系などがある。
【００３９】
（着用）
今、上述した髪毛根元捕捉具Ａが取り付けられている眼鏡Ｂを装着する場合、前方からテンプルＴを顔面側部に沿わせて移動させると、テンプルＴに取り付けられている髪毛根元捕捉具Ａのくさび部２の傾斜面２１とは反対側が皮膚に沿って移動する。
【００４０】
移動の際、傾斜面に髪毛が当たって、その際、分力が発生し、くさび部２は皮膚側に押し付けられる。
そのため、くさび部２は髪毛の根本の部分を掬うように作用する。
そして、髪毛根元捕捉具Ａが耳を通り過ぎて耳近くの髪毛を掬った状態で止まる。
この状態では切り込み２２が髪毛を掬って保持しているためテンプルＴは耳の後ろで安定して動かない。
【００４１】
ところで、テンプルＴに髪毛根元捕捉具Ａが取り付けられる際、髪毛根元捕捉具Ａの貫通孔ＨにテンプルＴの端部を押し入れれば相互に結合されるが、この場合、テンプルＴの端部が貫通孔Ｈに圧入されることにより、その貫通孔Ｈを拡大するように作用する。
そのため、切り込み２２が僅かに拡大し、対向辺が僅かにＶ字状に変化する。
【００４２】
図５は、実施の形態１における髪毛根元捕捉具ＡとテンプルＴの端部との関係を示す図である。
図５（Ａ）は、髪毛根元捕捉具ＡがテンプルＴに取り付けられる前の状態を示し、図５（Ｂ）は髪毛根元捕捉具ＡがテンプルＴに取り付けられた後の状態を示す。
テンプルの断面の大きさが髪毛根元捕捉具Ａの貫通孔Ｈより大きいと、髪毛根元捕捉具Ａの切り込み２２は、図５（Ａ）に示すような対向辺が平行から図５（Ｂ）に示すようなややＶ字状に変化する現象が発生するのが分かる。
【００４３】
このように切り込み２２は、入口（開口部）がやや広がるため、髪毛を掬い易くなるのである。
これは髪毛根元捕捉具Ａ自体の材質が、例えば、シリコーン等のエラストマーからなることにより、なお一層、効果的に発揮される。
【００４４】
次にこの実施の形態１における変形例について述べる。
（変形例１）
図６は、実施の形態１における変形例１を示す図である。
この髪毛根元捕捉具Ａは、その切り込み２２の先端に円形状の髪留まり部２３が形成されていることが特徴である。
従って、髪毛はこの髪留まり部２３にまで入り込むため、より確実に保持力が働くのである。
【００４５】
この切り込み２２は、貫通孔Ｈにまで及んで形成されていない（図６（Ａ））が、貫通孔Ｈにまで及んで形成されている場合（図６（Ｂ））もある。
眼鏡Ｂを着用する場合、髪毛根元捕捉具Ａが耳を通り過ぎる際、耳近くの髪毛を掬っていくことになるが、切り込み２２に入り込んだ髪毛の一部は髪留まり部２３に入って食い込む。
そのため、髪毛根元捕捉具Ａが髪毛をより強く捕捉するのである。
特に、後者の図６（Ｂ）の場合は、髪毛が切り込み２２に案内されて貫通孔Ｈのところにまで入り込むため髪留まり部２３がより確実に髪毛を捕捉する。
【００４６】
（変形例２）
対向辺に細かい凹凸が形成されている例である。
図７は、実施の形態１における変形例２を示す図である。
この髪毛根元捕捉具Ａは、その切り込み２２の対向辺に細かい凹凸部を形成したものである。
髪毛はこの細かい凹凸部に嵌り込んで、髪毛根元捕捉具Ａの捕捉力がより増す。
【００４７】
（変形例３）
図８は、実施の形態１における変形例３を示す図であり、図８（Ａ）は側面図、図８（Ｂ）は平面図である。
この髪毛根元捕捉具Ａは、くさび部２にめくれ防止のための返し部２Ａを形成したものである。
【００４８】
詳しくは、眼鏡Ｂを着用する際、テンプルＴの先の髪毛根元捕捉具Ａが内側（皮膚側）にめくれるのを回避するために、皮膚側と反対側に、伸びる返し部２Ａを設けたものである。
くさび部２は、切断状の傾斜面２１を有しており、徐々に厚みが薄くなっているので、皮膚に沿って移動する際、皮膚との抵抗力によりめくれやすい。
返し部２Ａを設けることにより、このようなめくれ現象を回避することができるのである。
【００４９】
（変形例４）
図９は、実施の形態１における変形例４を示す図であり、図９（Ａ）は側面図、図９（Ｂ）は平面図である。
上述した髪毛根元捕捉具Ａの切り込み２２を構成する対向辺が平行であったが、この例では切り込み２２が平行ではなくＶ字状に形成されているものである。
そして、このＶ字状の切り込み２２の対向辺は、入口（開放口）が大きいので、平行の場合より多くの髪毛を捕らえて掬うことができる。
【００５０】
また、切り込み２２がＶ字状であると、髪の毛を内方へ誘導する機能を果たし易い。
そのためには、高い誘導性の観点から切り込み２２の角度は１０〜３０度が好ましく採用される。
この変形例の場合も、前述した図５に示した現象が発生するが、それはよりＶ字状を広げる役割を果す
【００５１】
（着用）
今、この髪毛根元捕捉具Ａが取り付けられた眼鏡Ｂを装着する場合、テンプルＴを顔面側部に沿わせて移動させると、テンプルＴに備わっている髪毛根元捕捉具Ａのくさび部２の傾斜面２１とは反対側が皮膚に沿って移動する。
そして、髪毛根元捕捉具Ａが耳を通り過ぎる際、耳近くの髪毛を掬う。
切り込み２２がＶ字状で入口（開放口）が大きいので、髪毛が入り易く、効率よく掬うことができる。
切り込み２２が髪毛を掬って保持しているためテンプルＴは耳の後ろで安定して動かない。
【００５２】
（変形例５）
図１０は、実施の形態１における変形例５を示す図である。
この髪毛根元捕捉具Ａは、Ｖ字状の切り込み２２の先端に円形状の髪留まり部２３が形成されている。
従って、髪毛はこの髪留まり部２３にまで入り込むため、より確実に保持力が働くのである。
この切り込み２２は、貫通孔Ｈにまで及んで形成されていない（図１０（Ａ））が、貫通孔Ｈにまで及んで形成されている場合（図１０（Ｂ））もある。
【００５３】
（変形例６）
対向辺に細かい凹凸が形成されている例である。
図１１は、実施の形態１における変形例６を示す図である。
この髪毛根元捕捉具Ａは、そのＶ字状の切り込み２２の対向辺に細かい凹凸部を形成したものである。
髪毛は、この細かい凹凸部に嵌り込みより捕捉力が向上することは、上述した実施の形態１の変形例２と同じである。
【００５４】
（変形例７）
図１２は、実施の形態１における変形例７を示す図であり、図１２（Ａ）は側面図、図１２（Ｂ）は平面図である。
この髪毛根元捕捉具Ａは、めくれ防止のための返し部２Ａを形成したものである。
【００５５】
（実施の形態２）
モダンＭの端部に髪毛根元捕捉具Ａが取り付けられたものである。  
この実施の形態は、眼鏡ＢのテンプルＴに既に取り付けてあるモダンＭの端部に取り付け自在となっている竹槍状の髪毛根元捕捉具Ａであり、またこの竹槍状の髪毛根元捕捉具Ａを備えた眼鏡Ｂである。
ここでモダンの端部の断面形状は前述したテンプルＴの断面形状と同じように矩形が好ましい。
【００５６】
髪毛根元捕捉具ＡをモダンＭの端部に取り付けた眼鏡Ｂは、髪毛根元捕捉具Ａの機能が発揮されることにより、髪毛を確実に捕捉できて、着用した場合に極めて安定性がよい。
髪毛根元捕捉具ＡをモダンＭの端部に取り付けるには髪毛根元捕捉具Ａに設けられた貫通孔ＨにモダンＭの端部を押し入れればよい。  
【００５７】
テンプルＴに既に取り付けられているモダンＭは、種々のものがあるが、図１３は、もみあげ部への当接突起部ＭＡが設けられたモダンＭの端部に髪毛根元捕捉具Ａが取り付けられた眼鏡Ｂを示す側面図である。
このモダンＭは、前端に下方に延びた当接突起部ＭＡが形成され、後端に髪毛根元捕捉具Ａが取り付けられる。
この場合、髪毛根元捕捉具Ａの切り込み２２は平行状のものを採用した。
【００５８】
また、図１４は、もみあげ部への当接突起部ＭＡが設けられたモダンＭの端部に髪毛根元捕捉具Ａが取り付けられた眼鏡Ｂを示す平面図である。
この眼鏡Ｂは、鼻当て部Ｐを備えていないものでいわゆるパッドレス眼鏡Ｂといわれている。
すなわち、当接突起ＭＡがもみあげに支持され、髪毛根元捕捉具Ａが髪毛を捕捉するという２つの保持力が発揮されるので、眼鏡Ｂのフロント部には、鼻当てパッドが不要となる。
【００５９】
このタイプの眼鏡Ｂは、着用者にとって鼻部の負担から解放されるという利点がある。
ここで、この実施の形態において使われる髪毛根元捕捉具Ａは、上述した実施の形態１における各変形例のものが自由に選択して適用が可能である。
【００６０】
（実施の形態３）
二股モダンＭの端部に髪毛根元補足具Ａを取り付けたものである。
この実施の形態は、眼鏡ＢのテンプルＴに既に取り付けてある二股モダンＭの端部に取り付け自在となっている竹槍状の髪毛根元捕捉具Ａであり、またこの竹槍状の髪毛根元捕捉具Ａを備えた眼鏡Ｂである。
この二股モダンＭは、前端に下方に延びた当接突起部ＭＡが形成され、後端が字の如く第１分岐部Ｍ１と第２分岐部Ｍ２の二股に分岐している。
【００６１】
図１５は、もみあげ部への当接突起部ＭＡが設けられた二股モダンＭの各端部に２つの髪毛根元捕捉具Ａが取り付けられた眼鏡Ｂを示す側面図である。
この場合、髪毛根元捕捉具Ａの切り込み２２はＶ字状のもので示した。
【００６２】
また、図１６は、もみあげ部への当接突起部ＭＡが設けられた二股モダンＭの各端部に２つの髪毛根元捕捉具Ａが取り付けられた眼鏡Ｂを示す平面図である。
この髪毛根元捕捉具Ａを二股モダンＭの端部に取り付けた眼鏡Ｂは、前述の実施の形態２のような単純な形のモダンＭではなく二股なので、２つの髪毛根元捕捉具Ａが備わることになる。
従って、２つの髪毛根元捕捉具Ａの機能が同時に発揮されることにより、髪毛をより確実に捕捉できる利点がある。
【００６３】
また、この場合も、当接突起部ＭＡがもみあげ部に支持され、髪毛根元捕捉具Ａが髪毛を捕捉するという２つの保持力が発揮されるので、眼鏡Ｂのフロント部には、鼻当てパッドが不要となる。
ここで、この実施の形態において使われる髪毛根元捕捉具Ａは、上述した実施の形態１における各変形例のものが自由に選択して適用が可能である。
【００６４】
以上、本発明を実施の形態を挙げて説明してきたが、本発明は、この実施の形態に限定されることなく、目的に沿う限り、他の変更が可能である。
例えば、テンプルＴの端部の断面、すなわちテンプルＴの端部が髪毛根元捕捉具Ａの貫通孔Ｈに圧入される部分の断面は矩形（矩形断面）で説明したが、三角形、五角形等の多角形も採用可能であり、この場合、貫通孔Ｈの内周壁を外方向に押圧する集中部ができるので回動が回避できる。
また、髪毛根元補足具Ａの貫通孔Ｈの断面は円形で説明したが、多角形も採用可能である。
【００６５】
また、切断状の傾斜面２１と反対側の形状は立ち上がり状に拡大しているが、皮膚に沿ってスライドできるような形状であれば、他の形状への変更も可能である。
【産業上の利用可能性】
【００６６】
本発明の髪毛根元捕捉具Ａは、眼鏡ＢのテンプルＴの端部に取り付け自在であり竹槍状の髪毛根元捕捉具Ａであり、切り込み２２が設けられているので、眼鏡Ｂに取り付けた場合、着用時には、その切り込み２２が耳近くの髪毛を掬って保持した状態となり、テンプルＴは耳の後ろで安定して動かない。
このような機能を有するため、サングラス、スポーツ用の眼鏡、鼻梁が低い児童用の眼鏡、耳介を欠く小耳症用の眼鏡、医療用の眼鏡、ゲーム用の眼鏡等、種々の分野での適用が可能である。
【符号の説明】
【００６７】
１・・・胴部
２・・・くさび部
２１・・・傾斜面
２２・・・切り込み
２３・・・髪留まり
２Ａ・・・返し部
Ａ・・・髪毛根元捕捉具
Ｂ・・・眼鏡
Ｈ・・・貫通孔
Ｍ・・・モダン
ＭＡ・・・当接突起部
Ｍ１・・・第１分岐部
Ｍ２・・・第２分岐部
Ｐ・・・鼻当て部
Ｔ・・・テンプル
【図１】
2018205589.tif 000003
【図２】
2018205589.tif 000004
【図３】
2018205589.tif 000005
【図４】
2018205589.tif 000006
【図５】
2018205589.tif 000007
【図６】
2018205589.tif 000008
【図７】
2018205589.tif 000009
【図８】
2018205589.tif 000010
【図９】
2018205589.tif 000011
【図１０】
2018205589.tif 000012
【図１１】
2018205589.tif 000013
【図１２】
2018205589.tif 000014
【図１３】
2018205589.tif 000015
【図１４】
2018205589.tif 000016
【図１５】
2018205589.tif 000017
【図１６】
2018205589.tif 000018